(57)【要約】【課題】低コストで、簡易に性能試験を行うことができる直結型増圧給水装置を提供すること。【解決手段】加圧ポンプの流入側に設けられた一次側配管と、流出側に設けられた二次側配管のそれぞれに、試験用機器類を取り付けるための一次側配管機器類取付口および二次側配管機器類取付口を具える。また二次側配管には、試験用排出管取付口が設けられている。更に、試験用排出管から排出される水道水の流量を計測する計測器を取り付けるための流量検出器取付口を、二次側配管、あるいは二次側配管から分岐した試験用排出管に設ける。これにより、各取付口に計測機器を取り付け、簡易に性能試験を行うことができる。【選択図】図１
2010261337.tif 000002
【特許請求の範囲】
【請求項１】
増圧給水装置と直列に連結される直結型増圧給水装置であり、
前記増圧給水装置から供給される水道水を加圧する加圧ポンプと、
前記加圧ポンプの流入側に設けられた一次側配管と、
前記加圧ポンプの流出側に設けられた二次側配管と、
前記一次側配管に設けられ、該一次側配管に第１圧力検出器を接続させる一次側配管機器類取付口と、
前記二次側配管に設けられ、該二次側配管に第２圧力検出器を接続させる二次側配管機器類取付口、および試験用排出管を取り付け、該試験用排出管を介して前記二次側配管から流水させる試験用排出管取付口と、を備えて構成したことを特徴とする直結型増圧給水装置。
【請求項２】
前記試験用排出管取付口の上流に、前記二次側配管を開閉する止水弁を設けたことを特徴とする請求項１に記載の直結型増圧給水装置。
【請求項３】
前記試験用排出管取付口は、増設用圧力タンクを接続させる接続口と同形としたことを特徴とする請求項１または２に記載の直結型増圧給水装置。
【請求項４】
前記試験用排出管取付口は、２０ｍｍ以下の口径としたことを特徴とする請求項１〜３にいずれか１項に記載の直結型増圧給水装置。
【請求項５】
増圧給水装置と直列に連結される直結型増圧給水装置であり、
前記増圧給水装置から供給される水道水を加圧する加圧ポンプと、
前記加圧ポンプの流入側に設けられた一次側配管と、
前記加圧ポンプの流出側に設けられた二次側配管と、
前記二次側配管に、３０ｌ（リットル）／分以上の流量を検知する流量検出器と、を具えて構成したことを特徴とする直結型増圧給水装置。
【請求項６】
前記二次側配管に、３０ｌ（リットル）／分以上の流量を検知する流量検出器と、を具えたことを特徴とする請求項１〜４のいずれか１項に記載の直結型増圧給水装置。
【請求項７】
増圧給水装置と直列に連結される直結型増圧給水装置であり、
前記増圧給水装置から供給される水道水を加圧する加圧ポンプと、
前記加圧ポンプの流入側に設けられた一次側配管と、
前記加圧ポンプの流出側に設けられた二次側配管と、
前記二次側配管に設けられ、任意の流量に対してリニアに出力可能な固定流量検出器と、を具えて構成したことを特徴とする直結型増圧給水装置。
【請求項８】
外部機器接続用の接続端子を有し、前記固定流量検出器が計測した結果を前記接続端子から出力可能な制御装置を備えたことを特徴とする請求項７に記載の直結型増圧給水装置。
【請求項９】
外部機器接続用の接続端子を有し、前記一次側配管に設けられた第１固定圧力検出器、および前記二次側配管に設けられた第２固定圧力検出器が計測した結果を、前記接続端子から出力可能な制御装置を備えたことを特徴とする請求項８に記載の直結型増圧給水装置。
【発明の詳細な説明】
【技術分野】
【０００１】
本発明は、簡易な方法で性能試験を行うことができる、直結型増圧給水装置に関する。
【背景技術】
【０００２】
近年、増圧給水装置に増圧給水装置を直列に連結し、高層階に水道水を直接給水する直結給水方法が行われるようになっている。これは、建物の地上部分と中間階にそれぞれ増圧給水装置を設置し、地上付近に設置した増圧給水装置（以下、「地上増圧給水装置」とする。）と中間階に設置した増圧給水装置（以下、「中間増圧給水装置」とする。）とを直列に連結し、地上増圧給水装置で給水されてきた水道水を中間増圧給水装置で再度加圧し、中間階より上層階に直接給水する方法である。かかる直結型の給水方法は、建物の最上階に大きな貯水槽を必要とせず、建物の構造を簡易化し、かつ直接給水することから水道水の水質の面からも好ましいものとなっている。
【０００３】
一方中間増圧給水装置は、中間増圧給水装置を挟んだ各階層において、安定した給水を実現させるため、所定の作動条件を満たす必要がある。例えば、中間増圧給水装置を作動させたときに、中間増圧給水装置を設置した階より下層階で給水圧力が大きく低下したり、また中間増圧給水装置を設置した階より上層階で給水圧力が大きく変動したりしないようにする必要がある。また、少量の流量を計測する流量検出器を内部に備えた直結給水式給水装置が知られている。
【先行技術文献】
【特許文献】
【０００４】
【特許文献１】特開２００１−５０１７０号公報
【発明の概要】
【発明が解決しようとする課題】
【０００５】
しかしながら、中間増圧給水装置が設置される条件は多岐にわたり、個々の設置条件に合わせた性能試験を工場で行うことは困難である。つまり、建物の大きさ、中間増圧給水装置を設置する階数、中間増圧給水装置に接続させる地上増圧給水装置の種類など、組み合わせは相当数に達する。また、中間増圧給水装置を所定の階に設置した状態を再現するには、かかる階層を有する建物を、工場内などに用意しなければならず、出荷の際に個々の条件を満たす性能試験を実際に実施するのは困難であった。
【０００６】
一方、中間増圧給水装置を、現場で組み付けた状態で性能試験を行う場合に、性能試験に要する計測機器類を予め中間増圧給水装置に組み付けるには、コストがかかるという問題がある。流量検出器などの計測機器類は高価であり、しかも性能試験を行うときのみ使用し、性能試験終了後はほとんど使用されない機器類を設置することは、増圧給水装置のコストを増加させ、またそれら機器類を死蔵させてしまうという問題があった。
【０００７】
また、上記従来例の直結給水式の給水装置は、増圧給水装置を直列に連結したものではなく、万一の故障に備え並列に配置した例である。
【０００８】
本発明は、上記課題を解決し、低コストで、簡易に性能試験を行うことができる直結型増圧給水装置を提供することを目的とする。
【課題を解決するための手段】
【０００９】
上記の課題を解決するために、本発明は、少なくとも１台の増圧給水装置と直結される増圧給水装置で、かかる増圧給水装置より上層階に配置される直結型増圧給水装置を、次のように構成した。
【００１０】
直結型増圧給水装置は、水道水を受け入れる受水口と、水道水を吐出する吐出口と、受水口から流入させた水道水を所定の圧力に加圧し、吐出口から流出させる加圧ポンプとを備えている。受水口から加圧ポンプの流入口間に設けられた一次側配管、および加圧ポンプの流出口から吐出口間に設けられた二次側配管のそれぞれに、試験用機器類を取り付けるための一次側配管機器類取付口および二次側配管機器類取付口を具えている。
【００１１】
また二次側配管には、二次側配管から分岐し二次側配管から水道水を流出させる試験用排出管取付口が設けられている。更に、試験用排出管から排出される水道水の流量を計測する計測器を取り付けるための流量検出器取付口を、二次側配管、あるいは二次側配管から分岐した試験用排出管に設ける。
【００１２】
また直結型増圧給水装置の他の例としては、制御装置に外部機器接続部を設けて構成した。外部機器接続部は、例えばハンディコンピュータなどの外部機器に接続可能で、外部機器が、外部機器接続部を介して、少なくとも一次側配管や二次側配管の圧力値、あるいは二次側配管から排出される水道水の流量値とが取り出し可能となっている。
【発明の効果】
【００１３】
本発明の給水装置は、次の効果を有している。
【００１４】
増圧給水装置を設置する現場において、増圧給水装置の一次側配管と二次側配管にそれぞれ給水管を接続させた状態で、所定の性能試験が行える。
【００１５】
試験に必要とされる各計測器類を個々の給水装置に設ける必要がなく、増圧給水装置を安価にできる。
【００１６】
試験用の計測器を取り付ける機器類取付口は、試験が終了した後にアキュムレータを連結させるなど、接続用取付口を試験用途以外の他の用途に用いることができる。
【００１７】
試験に用いる流量検出器は、簡易な構成にできる。
【００１８】
制御装置に、可搬型のコンピュータを接続でき、増圧給水装置に用いられている各種計測器の値を用いて、試験を行わせることができる。
【図面の簡単な説明】
【００１９】
【図１】本発明にかかる直結型増圧給水装置の一実施形態を示すブロック図である。
【図２】直結型増圧給水装置の一実施形態を示す正面断面図である。
【図３】直結型増圧給水装置の一実施形態を示す断面図である。
【図４】直結型増圧給水装置の一実施形態を示す側面断面図である。
【図５】直結型増圧給水装置の他の実施形態を示すブロック図である。
【図６】直結型増圧給水装置の配置状態を示す構成図である。
【発明を実施するための形態】
【００２０】
本発明にかかる直結型増圧給水装置の一実施形態について説明する。
【００２１】
図２に、直結型増圧給水装置１０を示す。直結型増圧給水装置１０は、架台本体１２と、一次側配管１４と、加圧ポンプ１６と、二次側配管１８（図３参照。）と、アキュムレータ２０等から構成されている。以下、直結型増圧給水装置１０について、直結型増圧給水装置１０による水道水の圧送方向に従って上流と下流を定めて説明を行う。またある位置を基準にしたとき、その基準にした位置に対して上流側を一次側、下流側を二次側ともいう。
【００２２】
架台本体１２は、縦長で、前面に開閉自在な扉５０（図４参照。）が設けられている。架台本体１２の上部には収納室２４が形成してあり、収納室２４内部に制御装置３０、電源装置３２などが収納されている。収納室２４の下部には、加圧ポンプ１６やアキュムレータ２０等が収納されている。
【００２３】
加圧ポンプ１６は、所定の給水性能を具えた電動ポンプで、３台同一の形式のポンプが架台本体１２内に設けられている。加圧ポンプ１６には、図１に示すように電源装置３２からの動力線３３が駆動ユニット３４を介して接続されており、制御装置３０からの指示に従い，個別に、かつ任意の駆動力で駆動可能となっている。
【００２４】
加圧ポンプ１６の各吸込口には連結管３６が連結している。各連結管３６の他端側は、それぞれ一次側配管１４に連結している。また、加圧ポンプ１６の各吐出口には連結管３８が連結している。各連結管３８の他端側は、それぞれ二次側配管１８に連結している。
【００２５】
各連結管３６には、図１に示すようにそれぞれ止水弁３７とチェック弁３９が設けられている。また、各連結管３８には、それぞれチェック弁４１と、流量検出器４３と、止水弁４５が設けられている。止水弁３７等は、ハンドル操作で通路を開閉させる弁である。チェック弁３９等は、一方向にのみ水道水を流通させる弁である。チェック弁３９およびチェック弁４１は、加圧ポンプ１６の流通方向に沿って流通させるように取り付けられている。
【００２６】
一次側配管１４は、図２に示すように架台本体１２の内部にステー１２０（図４参照。）を介してほぼ水平に取り付けられている。一次側配管１４の左右両端には、フランジ４０、４２がそれぞれ設けてあり、いずれの側のフランジ４０、４２を介しても、給水管が接続可能となっている。直結型増圧給水装置１０では図２に示すように、一次側配管１４の左端に流入口２８が形成されている。流入口２８には、後述する給水管１０２が接続される。また一次側配管１４には、第１固定圧力検出器５２が取り付けられている。第１固定圧力検出器５２は、一次側配管１４内の圧力を計測し、計測結果を制御装置３０に送出する。
【００２７】
また一次側配管１４には、圧力タンクとしてのアキュムレータ２０が取り付けられている。アキュムレータ２０は、内部にゴムベローズとバネ等の弾性体（いずれも図示せず。）を具えた蓄圧器であり、圧力に応じて内部に水道水を貯留するようになっている。アキュムレータ２０は、２台設けられ、それぞれ連結管４６で連結されている。連結管４６には接続管４８が連結してあり、連結管４６は接続管４８を介して一次側配管１４に連結している。アキュムレータ２０は、一次側配管１４内の圧力変動を吸収するとともに、内部に水を貯留したり、貯留した水を排出し、一次側配管１４内を流通する水道水の流量調整も行なう。接続管４８には、止水弁４７が取り付けられている。
【００２８】
更に一次側配管１４には、一次側配管機器類取付口としての第１取付口３が設けられている。第１取付口３は、アキュムレータ２０を一次側配管１４に連結させる取付口と同様の形式を有している。
【００２９】
二次側配管１８は、図３に示すように架台本体１２の内部に一次側配管１４と同様ステー１２０を介してほぼ水平に取り付けられている。二次側配管１８の左右両端には、フランジ４４、４６がそれぞれ設けてあり、いずれの側のフランジ４４、４６を介しても、給水管が接続可能となっている。直結型増圧給水装置１０では図３に示すように、二次側配管１８の右端に吐出口２６が形成されている。吐出口２６には、後述する給水管１０４が接続される。吐出口２６の上流には、二次側配管１８を開閉させる止水弁３５が設けられている。
【００３０】
また二次側配管１８には、第２固定圧力検出器５４、およびアキュムレータ２２が取り付けられている。第２固定圧力検出器５４は、二次側配管１８内の圧力を計測し、計測結果を制御装置３０に送出する。アキュムレータ２２は、アキュムレータ２０と同様の構成で、二次側配管１８内の圧力や流量を調整する機能を具えている。
【００３１】
更に二次側配管１８には、二次側配管機器類取付口としての第２取付口５が設けられている。第２取付口５は、アキュムレータ２０を二次側配管１８に連結させる取付口と同様の形式を有している。
【００３２】
更に二次側配管１８には、フランジ４４の上流側に、試験用接続管７が設けられている。試験用接続管７は、端部に、第２取付口５と同様に、アキュムレータ２０を二次側配管１８に連結させる取付口と同様の形式の接続口２９を有している。接続口２９の上流には、止水弁４９が設けられている。接続口２９には、後述する試験用排出管９が連結される。
【００３３】
また一次側配管１４と二次側配管１８の間にはバイパス管６０が設けられている。バイパス管６０には、チェック弁６２が取り付けてある。チェック弁６２は、一次側配管１４から二次側配管１８に向けて開放されるチェック弁であり、一次側配管１４と二次側配管１８とがチェック弁６２を介して連結されている。
【００３４】
次に、試験用排出管９について説明する。試験用排出管９は、流量検出器１３と止水弁１５を具えた管体で、一端が接続口２９に連結可能に形成され、他端は開放されている。流量検出器１３は、信号線１７を介してハンディコンピュータ１９に接続している。流量検出器１３は、いわば流速計で、試験用排出管９内の水道水の流速を検出し、試験用排出管９の管内径と流速から時間当たりの流量を算出する。性能試験では、二次側配管１８内の流量が所定の流量に達したことが判明できればよいので、流量検出器１３は、流量が所定値を越えたことのみを判別する簡易な構成の流量検出器でもよい。
【００３５】
ハンディコンピュータ１９は、試験用の可搬型電子計算機である。ハンディコンピュータ１９には更に、第１圧力検出器２１、および第２圧力検出器２３がそれぞれ信号線２５、２７を介して接続されている。
【００３６】
ハンディコンピュータ１９は、流量検出器１３、第１圧力検出器２１、および第２圧力検出器２３から送られた検出値を処理する処理回路（図示せず。）を具えている。また、ハンディコンピュータ１９は、各種試験結果の閾値を記憶部（図示せず。）に有し、試験結果を出力する。
【００３７】
次に、直結型増圧給水装置１０を設置する際に行なう性能試験について説明する。
【００３８】
性能試験は、直結型増圧給水装置１０を、図６に示す状態に設置するにあたり行うものとする。図に示す建物１１０は、３０階程度の建物であり、地上部分には、増圧給水装置１００が設置されている。増圧給水装置１００は、水道本管１１２に直接連結しており、水道本管１１２の水道水を所定の圧力に加圧し、給水管１０２を介して、建物１１０内の１階から１５階まで給水する。
【００３９】
直結型増圧給水装置１０は、建物１１０の１５階に設置される。直結型増圧給水装置１０は、給水管１０２を通して増圧給水装置１００と直列に連結し、給水管１０２の水道水を取り入れ、加圧し、給水管１０４を介して建物１１０の最上階まで給水するものとする。尚、増圧給水装置１００は、直結型増圧給水装置１０と同一の増圧給水装置であっても、異なる形式の増圧給水装置であってもよい。また、建物１１０の階数、もしくは設置階数等は特に限定しない。
【００４０】
建物１１０は、少なくとも直結型増圧給水装置１０を設置する階まで完成し、給水管１０２も全体に敷設されているものとする。増圧給水装置１００は、地上１５階までの給水能力がある機種で、地上付近に既に設置してある。増圧給水装置１００の流入口には、水道本管１１２が連結されている。また増圧給水装置１００の吐出口に連結された給水管１０２は、１５階まで導通している。
【００４１】
性能試験は、次のようにして行う。直結型増圧給水装置１０を設置する階、つまり１５階に据え付け、給水管１０２を一次側配管１４に接続する。増圧給水装置１００は、作動可能な状態にしておく。二次側配管１８は、給水管１０４を接続させてもよいが、止水弁３５を閉じ、閉鎖しておくので、特に給水管１０４を接続させなくともよい。
【００４２】
次に、直結型増圧給水装置１０の第１取付口３に、可搬型の第１圧力検出器２１を取り付け、第２取付口５に、可搬型の第２圧力検出器２３を取り付ける。試験用排出管９を接続口２９に連結する。そして、第１圧力検出器２１、第２圧力検出器２３、流量検出器１３の各信号線２５、２７，１７をハンディコンピュータ１９に接続する。
【００４３】
増圧給水装置１００を作動させ、給水管１０２を介して直結型増圧給水装置１０に給水する。そして、加圧ポンプ１６を作動可能な状態に設定して、止水弁４９を開く。止水弁３５は閉鎖してある。そして止水弁１５を開いて、試験用排出管９を通して水道水を流出させる。流出している水道水の流量を流量検出器１３によって検出し、流出量が毎分３０リットルになるよう止水弁１５の開度を調整する。止水弁１５の開度を調整したら、止水弁１５の開度をそのままにして止水弁４９を閉じ、加圧ポンプ１６の作動を停止させる。
【００４４】
そして、加圧ポンプ１６を停止させた状態から、止水弁４９を３秒で全開にして加圧ポンプ１６を作動させ、水道水を流出させる。その際止水弁１５は、上記調整した開度に予め設定されているので、水道水の流出量は、３秒間で毎分０リットルから毎分３０リットルまで増加する。そして、第１圧力検出器２１と第２圧力検出器２３で、一次側配管１４と二次側配管１８のそれぞれの圧力変動値を求める。直結型増圧給水装置１０の性能の合否は、かかる第１圧力検出器２１と第２圧力検出器２３における圧力変動値が規定値以内か否か判定して行う。（上記例は、ＪＷＷＡ  Ｂ  １３０  １．２  吐出圧力変動試験  ｃ  始動・停止時の過渡圧力変動試験による。）
性能試験が終了したなら、第１取付口３から第１圧力検出器２１を取り外し、第２取付口５から第２圧力検出器２３を取り外す。また接続口２９から試験用排出管９を取り外し、それぞれに栓を取り付け、開口部を塞ぐ。また、止水弁４９を閉じ、試験結果が良好ならその状態で給水管１０４を介して給水を行なわせてもよい。あるいは、第１取付口３や第２取付口５等に適宜アキュムレータ２０を取り付けてもよい。
【００４５】
このように、直結型増圧給水装置１０によれば、増圧給水装置１００に連結され、所定の設置階に設置された状態で、所定の性能を具えているか否かの性能試験を簡易に行なうことができる。
【００４６】
次に、直結型増圧給水装置の他の例について説明する。この例は、制御装置に外部接続端子を設けた直結型増圧給水装置である。
【００４７】
直結型増圧給水装置１１は、上記直結型増圧給水装置１０と基本的に同様の構成を有しているが、制御装置３１が直結型増圧給水装置１０の制御装置３０と異なっている。
【００４８】
直結型増圧給水装置１１は、一次側配管１４に第１固定圧力検出器５２を具え、二次側配管１８に第２固定圧力検出器５４を具えている。第１固定圧力検出器５２および第２固定圧力検出器５４は、それぞれ一次側配管１４および二次側配管１８の圧力を計測し、その計測値を制御装置３１に送り出す。また、二次側配管１８には、試験用接続管７の連結点より上流に固定流量検出器５６が取り付けられている。固定流量検出器５６は、二次側配管１８内を流通する水道水の流量を計測し、その値を制御装置３１に送出する。試験用排出管５８は、止水弁１５を有し、一端が接続口２９に連結可能に構成されている。
【００４９】
制御装置３１は、第１固定圧力検出器５２、第２固定圧力検出器５４および固定流量検出器５６からの計測値を受け取り、それらの値に基づいて直結型増圧給水装置１１における通常の給水動作を制御する。更に制御装置３１は、外部機器接続部としての接続端子５１を具えている。接続端子５１は、ハンディコンピュータ５３の入力端子５５を接続させることが可能に形成されている。接続端子５１には、少なくとも、第１固定圧力検出器５２、第２固定圧力検出器５４および固定流量検出器５６からの計測値が到達しており、ハンディコンピュータ５３を接続した場合、入力端子５５を介してこれらの値がハンディコンピュータ５３に出力可能となっている。
【００５０】
ハンディコンピュータ５３は、いわゆる可搬型のコンピュータであり、フレキシブルケーブル５７を介して入力端子５５が設けられている。直結型増圧給水装置１１の第１固定圧力検出器５２、第２固定圧力検出器５４および固定流量検出器５６の計測値を処理し、これら値に基づいて直結型増圧給水装置１１が所定の性能を具えているか否かを判断するプログラムやデータを備えている。
【００５１】
上記直結型増圧給水装置１１における、作用について説明する。
【００５２】
上述したように建物１１０に増圧給水装置１００を設置し、増圧給水装置１００に接続された給水管１０２が、少なくとも直結型増圧給水装置１１を設置する階まで敷設されている。
【００５３】
直結型増圧給水装置１１を１５階に配置し、直結型増圧給水装置１１の流入口２８に給水管１０２を接続させる。また給水管１０４を、直結型増圧給水装置１１の吐出口２６に接続させてもよい。
【００５４】
増圧給水装置１００を作動可能とし、給水管１０２を通して直結型増圧給水装置１１に水道水を圧送する。直結型増圧給水装置１１の制御装置３１に、接続端子５１を通して、ハンディコンピュータ５３を接続させる。これによりハンディコンピュータ５３には、直結型増圧給水装置１１の第１固定圧力検出器５２、第２固定圧力検出器５４および固定流量検出器５６が計測した計測値が入力される。
【００５５】
また試験用排出管５８を接続口２９に連結させる。そして、止水弁１５を開き、試験用排出管５８から水道水を流出させる。
【００５６】
ハンディコンピュータ５３は、上述したと同様、試験用排出管５８から流出される水道水の流出量を３秒間で毎分０リットルから毎分３０リットルまで増加させたときの、第１固定圧力検出器５２と第２固定圧力検出器５４に示される圧力変動値を検出する。そして検出した圧力変動値と、記憶部に記憶されている閾値と比較し、直結型増圧給水装置１１が所定の性能を備えているか判定する。
【００５７】
このように直結型増圧給水装置１１を構成すると、通常の制御に用いられる固定計測器類を性能試験に用いることができ、直結型増圧給水装置１１の性能試験を簡易、かつ低コストで実施することができる。
【００５８】
直結型増圧給水装置１０の二次側配管１８に取り付けられた流量検出装置として、リニアに流量を検出する装置は、非常に高価なため、所望の流量を検出する流量検出装置を用いてもよい。ここでは、毎分３０リットル以上か否かを判別する検出器を用いる。
【産業上の利用可能性】
【００５９】
本発明は、増圧給水装置を直列に接続させ、かつ一方の増圧給水装置より上層階に設置する増圧給水装置の性能試験に用いることができる。
【符号の説明】
【００６０】
３…第１取付口
５…第２取付口
７…試験用接続管
９…試験用排出管
１０…直結型増圧給水装置
１３…流量検出器
１４…一次側配管
１５…止水弁
１６…加圧ポンプ
１８…二次側配管
１９…ハンディコンピュータ
２１…第１圧力検出器
２３…第２圧力検出器
２６…吐出口
２８…流入口
２９…接続口
３０…制御装置
３５…止水弁
３７…止水弁
５２…第１固定圧力検出器
５４…第２固定圧力検出器
５６…固定流量検出器
１００…増圧給水装置
【図１】
2010261337.tif 000003
【図２】
2010261337.tif 000004
【図３】
2010261337.tif 000005
【図４】
2010261337.tif 000006
【図５】
2010261337.tif 000007
【図６】
2010261337.tif 000008